【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】  所定の端末装置においてプレイヤーにマルチプレイヤーゲームを行わせるためのゲーム情報を生成する情報生成手段と、
生成された前記ゲーム情報を前記端末装置に送信する提供手段と、
前記端末装置から要求情報を受信する取得手段と、
を含み、
前記情報生成手段は、所定の状況で電子メールを生成するメール生成手段を含み、
第１のプレイヤーの操作する端末装置から第２のプレイヤーに前記マルチプレイヤーゲームへの参加を促す要求情報が前記取得手段によって取得された場合に、
前記情報生成手段は、前記メール生成手段に、前記マルチプレイヤーゲームへのリンク情報と、第１のプレイヤーと前記第２のプレイヤーとを前記マルチプレイヤーゲームにおいて所定の関係となるように関連付けるための関連付け情報と、を含む参加促進用のゲーム情報を電子メール形式で生成させ、
前記提供手段は、生成された前記参加促進用のゲーム情報を前記第２のプレイヤーの端末装置に電子メール形式で送信することを特徴とするマルチプレイヤーゲーム用の情報提供システム。
【請求項２】  所定の端末装置においてプレイヤーにマルチプレイヤーゲームを行わせるためのゲーム情報を生成する情報生成手段と、
生成された前記ゲーム情報を前記端末装置に送信する提供手段と、
前記端末装置から要求情報を受信する取得手段と、
を含み、
第１のプレイヤーの操作する端末装置から第２のプレイヤーに前記マルチプレイヤーゲームへの参加を促す要求情報が前記取得手段によって取得された場合に、
前記情報生成手段は、前記マルチプレイヤーゲームへのリンク情報と、第１のプレイヤーと前記第２のプレイヤーとを前記マルチプレイヤーゲームにおいて所定の関係となるように関連付けるための関連付け情報と、を含む参加促進用のゲーム情報を生成し、
前記提供手段は、生成された前記参加促進用のゲーム情報を前記第２のプレイヤーの端末装置に送信することを特徴とするマルチプレイヤーゲーム用の情報提供システム。
【請求項３】  請求項１、２のいずれかにおいて、
判定手段と、
前記端末装置のプレイヤーごとのユーザーＩＤを含むユーザーデータを記憶する記憶手段と、
を含み、
前記取得手段は、前記第２のプレイヤーの端末装置から参加要求を示し、かつ、前記関連付け情報を含む要求情報を受信し、
前記判定手段は、当該要求情報に含まれる前記関連付け情報に基づき、前記第１のプレイヤーと前記第２のプレイヤーとを、前記所定の関係となるように関連付けることを特徴とする情報提供システム。
【請求項４】  請求項１に従属する請求項３において、
前記判定手段は、前記参加要求を示す要求情報に基づき、前記第２のプレイヤーが前記マルチプレイヤーゲームに参加したかどうかを判定し、
前記第２のプレイヤーが前記マルチプレイヤーゲームに参加した場合に、
前記メール生成手段は、前記第２のプレイヤーが参加したことを示す通知用の電子メールを生成し、
前記提供手段は、生成された前記通知用の電子メールを前記第１のプレイヤーが操作する端末装置に送信することを特徴とする情報提供システム。
【請求項５】  請求項３、４のいずれかにおいて、
前記関連付け情報は、前記第１のプレイヤーのユーザーＩＤを含み、
前記記憶手段は、前記所定の関係となるように関連付けられたプレイヤーを示すパートナーデータを記憶し、
前記情報生成手段は、前記参加要求を示す要求情報に基づき、どの端末装置が当該要求情報を送信したかを識別し、
前記判定手段は、当該識別結果と、前記ユーザーデータとに基づき、前記参加要求を行った前記第２のプレイヤーのユーザーＩＤを判定するとともに、前記第１のプレイヤーのユーザーＩＤと、前記第２のプレイヤーのユーザーＩＤとに基づき、前記第１および第２のプレイヤーを関連付けて前記パートナーデータに記憶することを特徴とする情報提供システム。
【請求項６】  請求項３〜５のいずれかにおいて、
前記ユーザーデータは、個人情報を含み、
参加要請時に前記第２のプレイヤーを決定する場合、前記第２のプレイヤーがゲームへの参加を要請された場合、ゲームのエンディングの場合、のうちのいずれかの場合に、
前記情報生成手段は、前記第１または第２のプレイヤーの前記個人情報に基づき、当該個人情報を前記第２または第１のプレイヤーに伝達するゲーム情報を生成することを特徴とする情報提供システム。
【請求項７】  請求項６において、
前記取得手段は、前記プレイヤーの識別情報および前記プレイヤーの撮像画像を含む個人情報を、入力手段および撮像手段を有する個人情報取得装置から受信し、
前記判定手段は、当該個人情報を当該プレイヤーと関連付けて前記ユーザーデータの一部として記憶することを特徴とする情報提供システム。
【請求項８】  請求項７において、
前記個人情報取得装置は、出力手段を含み、
前記情報生成手段は、前記ユーザーデータに基づき、前記所定の関係となるように関連付けられた第１および第２のプレイヤーの個人情報を含む画像情報を生成し、
前記提供手段は、前記画像情報を前記個人情報取得装置に送信し、
前記出力手段は、前記画像情報に基づき、前記所定の関係となるように関連付けられた第１および第２のプレイヤーの個人情報を、持ち運び可能な媒体に出力することを特徴とする情報提供システム。
【請求項９】  請求項１〜８のいずれかにおいて、
前記マルチプレイヤーゲームは、画像ページが更新されることによってゲームが進行するゲームであって、
前記リンク情報は、ゲームの進行状況に応じた所定のゲーム場面に前記第２のプレイヤーの操作するキャラクターを参加させるための所定の画像ページのアドレス情報を含み、
前記第２のプレイヤーの端末装置は、前記アドレス情報に基づき、前記画像ページにアクセスすることを特徴とする情報提供システム。
【請求項１０】  請求項１〜９のいずれかにおいて、
前記参加を促す要求情報が所定の条件に該当する場合、前記参加促進用のゲーム情報を提供しないように前記情報生成手段および前記提供手段の少なくとも一方を制御する手段を含むことを特徴とする情報提供システム。
【請求項１１】  請求項１０において、
前記条件は、所定時間内における同一のプレイヤーに対する繰り返しの参加要求であるという条件、参加を拒否しているプレイヤーに対する参加要求であるという条件、のうちの少なくとも１つであることを特徴とする情報提供システム。
【請求項１２】  所定の端末装置においてプレイヤーにマルチプレイヤーゲームを行わせるためのプログラムを記憶したコンピュータ読み取り可能な情報記憶媒体であって、
コンピュータを、
前記マルチプレイヤーゲームを行わせるためのゲーム情報を生成する情報生成手段と、
生成された前記ゲーム情報を前記端末装置に送信する提供手段と、
前記端末装置から要求情報を受信する取得手段として機能させるためのプログラムを記憶し、
前記情報生成手段は、所定の状況で電子メールを生成するメール生成手段を含み、
第１のプレイヤーの操作する端末装置から第２のプレイヤーに前記マルチプレイヤーゲームへの参加を促す要求情報が前記取得手段によって受信された場合に、
前記情報生成手段は、前記メール生成手段に、前記マルチプレイヤーゲームへのリンク情報と、第１のプレイヤーと前記第２のプレイヤーとを前記マルチプレイヤーゲームにおいて所定の関係となるように関連付けるための関連付け情報と、を含む参加促進用のゲーム情報を電子メール形式で生成させ、
前記提供手段は、生成された前記参加促進用のゲーム情報を前記第２のプレイヤーの端末装置に電子メール形式で送信することを特徴とするマルチプレイヤーゲーム用の情報記憶媒体。
【請求項１３】  所定の端末装置においてプレイヤーにマルチプレイヤーゲームを行わせるためのプログラムを記憶したコンピュータ読み取り可能な情報記憶媒体であって、
コンピュータを、
前記マルチプレイヤーゲームを行わせるためのゲーム情報を生成する情報生成手段と、
生成された前記ゲーム情報を前記端末装置に送信する提供手段と、
前記端末装置から要求情報を受信する取得手段として機能させるためのプログラムを記憶し、
第１のプレイヤーの操作する端末装置から第２のプレイヤーに前記マルチプレイヤーゲームへの参加を促す要求情報が前記取得手段によって受信された場合に、
前記情報生成手段は、前記マルチプレイヤーゲームへのリンク情報と、第１のプレイヤーと前記第２のプレイヤーとを前記マルチプレイヤーゲームにおいて所定の関係となるように関連付けるための関連付け情報と、を含む参加促進用のゲーム情報を生成し、
前記提供手段は、生成された前記参加促進用のゲーム情報を前記第２のプレイヤーの端末装置に送信することを特徴とするマルチプレイヤーゲーム用の情報記憶媒体。
【請求項１４】  請求項１２、１３のいずれかにおいて、
前記コンピュータを、
判定手段と、
前記端末装置のプレイヤーごとのユーザーＩＤを含むユーザーデータを記憶する記憶手段として機能させるためのプログラムを記憶し、
前記取得手段は、前記第２のプレイヤーの端末装置から参加要求を示し、かつ、前記関連付け情報を含む要求情報を受信し、
前記判定手段は、当該要求情報に含まれる前記関連付け情報に基づき、前記第１のプレイヤーと前記第２のプレイヤーとを、前記所定の関係となるように関連付けることを特徴とする情報記憶媒体。
【請求項１５】  請求項１２に従属する請求項１４において、
前記判定手段は、前記参加要求を示す要求情報に基づき、前記第２のプレイヤーが前記マルチプレイヤーゲームに参加したかどうかを判定し、
前記第２のプレイヤーが前記マルチプレイヤーゲームに参加した場合に、
前記メール生成手段は、前記第２のプレイヤーが参加したことを示す通知用の電子メールを生成し、
前記提供手段は、生成された前記通知用の電子メールを前記第１のプレイヤーが操作する端末装置に送信することを特徴とする情報記憶媒体。
【請求項１６】  請求項１４、１５のいずれかにおいて、
前記関連付け情報は、前記第１のプレイヤーのユーザーＩＤを含み、
前記記憶手段は、前記所定の関係となるように関連付けられたプレイヤーを示すパートナーデータを記憶し、
前記情報生成手段は、前記参加要求を示す要求情報に基づき、どの端末装置が当該要求情報を送信したかを識別し、
前記判定手段は、当該識別結果と、前記ユーザーデータとに基づき、前記参加要求を行った前記第２のプレイヤーのユーザーＩＤを判定するとともに、前記第１のプレイヤーのユーザーＩＤと、前記第２のプレイヤーのユーザーＩＤとに基づき、前記第１および第２のプレイヤーを関連付けて前記パートナーデータに記憶することを特徴とする情報記憶媒体。
【請求項１７】  請求項１４〜１６のいずれかにおいて、
前記ユーザーデータは、個人情報を含み、
参加要請時に前記第２のプレイヤーを決定する場合、前記第２のプレイヤーがゲームへの参加を要請された場合、ゲームのエンディングの場合、のうちのいずれかの場合に、
前記情報生成手段は、前記第１または第２のプレイヤーの前記個人情報に基づき、当該個人情報を前記第２または第１のプレイヤーに伝達するゲーム情報を生成することを特徴とする情報記憶媒体。
【請求項１８】  請求項１７において、
前記取得手段は、前記プレイヤーの識別情報および前記プレイヤーの撮像画像を含む個人情報を、入力手段および撮像手段を有する個人情報取得装置から受信し、
前記判定手段は、当該個人情報を当該プレイヤーと関連付けて前記ユーザーデータの一部として記憶することを特徴とする情報記憶媒体。
【請求項１９】  請求項１８において、
前記個人情報取得装置は、出力手段を含み、
前記情報生成手段は、前記ユーザーデータに基づき、前記所定の関係となるように関連付けられた第１および第２のプレイヤーの個人情報を含む画像情報を生成し、
前記提供手段は、前記画像情報を前記個人情報取得装置に送信し、
前記出力手段は、前記画像情報に基づき、前記所定の関係となるように関連付けられた第１および第２のプレイヤーの個人情報を、持ち運び可能な媒体に出力することを特徴とする情報記憶媒体。
【請求項２０】  請求項１２〜１９のいずれかにおいて、
前記マルチプレイヤーゲームは、画像ページが更新されることによってゲームが進行するゲームであって、
前記リンク情報は、ゲームの進行状況に応じた所定のゲーム場面に前記第２のプレイヤーの操作するキャラクターを参加させるための所定の画像ページのアドレス情報を含み、
前記第２のプレイヤーの端末装置は、前記アドレス情報に基づき、前記画像ページにアクセスすることを特徴とする情報記憶媒体。
【請求項２１】  請求項１２〜２０のいずれかにおいて、
前記参加を促す要求情報が所定の条件に該当する場合、前記参加促進用のゲーム情報を提供しないように前記情報生成手段および前記提供手段の少なくとも一方を制御する手段として前記コンピュータを機能させるためのプログラムを記憶した情報記憶媒体。
【請求項２２】  請求項２１において、
前記条件は、所定時間内における同一のプレイヤーに対する繰り返しの参加要求であるという条件、参加を拒否しているプレイヤーに対する参加要求であるという条件、のうちの少なくとも１つであることを特徴とする情報記憶媒体。